【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
ビデオストリームの画像フレームのシーケンスのイントラリフレッシュエンコーディングのための方法であって、
複数の分布関数を決定する（Ｓ０２）ことであって、各分布関数は、前記ビデオストリーム内の画像フレーム（２００）のピクセルのブロック（２１０）のイントラリフレッシュの確率（ｐ）を、前記ビデオストリーム内の直前の画像フレームの空間的に対応するピクセルのブロックがイントラリフレッシュされて以来、通過したフレームの数（ｆｃ）に対して規定し、前記複数の分布関数の第１の分布関数（１１０）は凸形状を有する累積分布関数に対応し、前記複数の分布関数の第２の分布関数（１２０）は凹形状を有する累積分布関数に対応する、複数の分布関数を決定する（Ｓ０２）こと、
前記ビデオストリームに含まれる画像フレームを受信する（Ｓ０４）こと、
前記受信された画像フレーム内の各ピクセルのブロックについて、
前記ビデオストリーム内の直前の画像の空間的に対応するピクセルのブロックがイントラリフレッシュされて以来、どれだけの数の画像フレームが前記ビデオストリーム内で通過したかを規定するフレームカウント（ｆｃ）を決定する（Ｓ０６）こと、
前記ピクセルのブロックが、前記画像フレームの関心領域、ＲＯＩ（２１２）に空間的に対応するか否かを判定する（Ｓ０８）こと、
前記ピクセルのブロックが前記ＲＯＩに空間的に対応すると判定すると、前記ピクセルのブロックがイントラリフレッシュされるべきか否かを判定するために、前記決定されたフレームカウントに関して前記第１の分布関数を適用する（Ｓ１０ａ）こと、
前記ピクセルのブロックが前記ＲＯＩに空間的に対応しないと判定すると、前記ピクセルのブロックがイントラリフレッシュされるべきか否かを判定するために、前記決定されたフレームカウントに関して前記第２の分布関数を適用する（Ｓ１０ｂ）こと、
前記ピクセルのブロックが、イントラリフレッシュされると判定された場合、前記受信された画像フレームの前記ピクセルのブロックをイントラエンコードする（Ｓ１２）こと
を含む、方法。
【請求項２】
前記第１の分布関数は、第１の閾値フレーム数（ｆｔ１）後に、ピクセルのブロックのイントラリフレッシュの１００％確率を規定し、前記第２の分布関数は、第２の閾値フレーム数（ｆｔ２）後に、ピクセルのブロックのイントラリフレッシュの１００％確率を規定し、前記第１の閾値フレーム数は前記第２の閾値フレーム数より小さい、請求項１に記載の方法。
【請求項３】
前記第１の分布関数は、第１の閾値フレーム数（ｆｔ１）後に、ピクセルのブロックのイントラリフレッシュの１００％確率を規定し、前記第２の分布関数は、第２の閾値フレーム数（ｆｔ２）後に、ピクセルのブロックのイントラリフレッシュの１００％確率を規定し、前記第１の閾値フレーム数は前記第２の閾値フレーム数と同じである、請求項１に記載の方法。
【請求項４】
前記ビデオストリーム内の画像フレームについて前記ＲＯＩ（２１４）に対応しない空間エリアと前記ＲＯＩ（２１２）に対応する空間エリアとの比を受信する（Ｓ０５）ステップをさらに含み、前記第１および第２の分布関数は、前記受信された比を考慮して決定される、請求項１〜３のいずれか一項に記載の方法。
【請求項５】
前記第１および第２の分布関数は、平均して、同じ数のピクセルのブロックが、前記ビデオストリームの各画像フレームについてイントラリフレッシュされると判定されるように構成される、請求項４に記載の方法。
【請求項６】
前記ビデオストリームの各画像フレームについて、前記画像フレーム内の各ピクセルのブロックについて、前記ピクセルのブロックが前記画像フレームの前記ＲＯＩに空間的に対応するか否かを示すデータを受信する（Ｓ０７）ステップをさらに含む、請求項１〜５のいずれか一項に記載の方法。
【請求項７】
前記ビデオストリームの各画像フレームについて、
前記画像フレーム内の各ピクセルのブロックについて、前記ピクセルのブロック内のピクセル値の和、平均、又は中央値を計算する（Ｓ２１）ことによって、前記ピクセルのブロックを表す第１の値を計算するステップと、
前記画像フレーム内の空間的に隣り合うピクセルのブロックの第１の値の間の差を計算する（Ｓ２３）ステップであって、それにより、各ピクセルのブロックを差値に関連付ける、計算する（Ｓ２３）ステップと、
前記画像フレーム内の各ピクセルのブロックについて、前記ピクセルのブロックが前記画像フレームのＲＯＩに空間的に対応するか否かを、
前記関連付けられた差値を所定の閾値と比較する（Ｓ２７）こと、
前記差値が前記閾値以上である場合、前記ピクセルのブロックを、前記ＲＯＩに空間的に対応するとして識別する（Ｓ２９ａ）こと、
前記差値が前記閾値より小さい場合、前記ピクセルのブロックを、前記ＲＯＩに空間的に対応しないとして識別する（Ｓ２９ｂ）こと
によって決定する（Ｓ２５）ステップと
を更に含む、請求項１〜５のいずれか一項に記載の方法。
【請求項８】
画像フレームのピクセルのブロックは、１つまたは複数のマクロブロック、コーディングツリーユニット、またはスーパーブロックからなる、請求項１〜７のいずれか一項に記載の方法。
【請求項９】
前記ビデオストリームは、第１の画像フレームおよび直後の第２の画像フレームを含み、前記第１の画像フレームについて、第１のピクセルのブロックは、前記第１の画像フレームの前記ＲＯＩに空間的に対応すると判定され、前記第１のピクセルのブロックについて、前記第１の分布関数は、前記第１のピクセルのブロックがイントラリフレッシュされるべきか否かを判定するために適用され、前記第２の画像フレームについて、前記第１のピクセルのブロックに空間的に対応する第２のピクセルのブロックは、前記第２の画像フレームの前記ＲＯＩに空間的に対応していないと判定され、前記第２のピクセルのブロックについて、前記第２の分布関数は、前記第２のピクセルのブロックがイントラリフレッシュされるべきか否かを判定するために適用される、請求項１〜８のいずれか一項に記載の方法。
【請求項１０】
前記ビデオストリームは、第１の画像フレームおよび直後の第２の画像フレームを含み、前記第１の画像フレームについて、第１のピクセルのブロックは、前記第１の画像フレームの前記ＲＯＩに空間的に対応していないと判定され、前記第１のピクセルのブロックについて、前記第２の分布関数は、前記第１のピクセルのブロックがイントラリフレッシュされるべきか否かを判定するために適用され、前記第２の画像フレームについて、前記第１のピクセルのブロックに空間的に対応する第２のピクセルのブロックは、前記第２の画像フレームの前記ＲＯＩに空間的に対応していると判定され、前記第２のピクセルのブロックについて、前記第１の分布関数は、前記第２のピクセルのブロックがイントラリフレッシュされるべきか否かを判定するために適用される、請求項１〜９のいずれか一項に記載の方法。
【請求項１１】
非一時的コンピュータ可読記録媒体であって、処理能力を有するデバイスによって実行されると請求項１〜１０のいずれか一項に記載の方法を実施するように適合されたコンピュータコード命令が、非一時的コンピュータ可読記録媒体上に記録されている、非一時的コンピュータ可読記録媒体。
【請求項１２】
ビデオストリームの画像フレーム（２００）のシーケンスのイントラリフレッシュエンコーディングのためのエンコーダー（３０４）であって、回路を備え、前記回路は、
複数の分布関数を決定するように構成され、各分布関数は、前記ビデオストリーム内の画像フレームのピクセルのブロック（２１０）のイントラリフレッシュの確率（ｐ）を、前記ビデオストリーム内の直前の画像フレームの空間的に対応するピクセルのブロックがイントラリフレッシュされて以来、通過したフレームの数（ｆｃ）に対して規定し、前記複数の分布関数の第１の分布関数（１１０）は凸形状を有する累積分布関数に対応し、前記複数の分布関数の第２の分布関数（１２０）は凹形状を有する累積分布関数に対応し、
前記ビデオストリームに含まれる画像フレームを受信し、
前記受信された画像フレーム内の各ピクセルのブロックについて、
前記ビデオストリーム内の直前の画像の空間的に対応するピクセルのブロックがイントラリフレッシュされて以来、どれだけの数の画像フレームが前記ビデオストリーム内で通過したかを規定するフレームカウント（ｆｃ）を決定し、
前記ピクセルのブロックが、前記画像フレームの関心領域、ＲＯＩ（２１２）に空間的に対応するか否かを判定し、
前記ピクセルのブロックが前記ＲＯＩに空間的に対応すると判定すると、前記ピクセルのブロックがイントラリフレッシュされるべきか否かを判定するために、前記決定されたフレームカウントに関して前記第１の分布関数を適用し、
前記ピクセルのブロックが前記ＲＯＩに空間的に対応しないと判定すると、前記ピクセルのブロックがイントラリフレッシュされるべきか否かを判定するために、前記決定されたフレームカウントに関して前記第２の分布関数を適用し、
前記ピクセルのブロックが、イントラリフレッシュされると判定された場合、前記受信された画像フレームの前記ピクセルのブロックをイントラエンコードする
ように構成される、エンコーダー（３０４）。
【請求項１３】
画像センサ（３０２）および請求項１２に記載のエンコーダー（３０４）を備えるモニタリングデバイス（３００）であって、前記エンコーダーは、前記画像センサによって取り込まれる画像フレーム（２００）を連続して受信するように構成される、モニタリングデバイス（３００）。